(57)【要約】  第１、第２、及び第３のライトガイドと、第１のライトガイドと第２のライトガイドとの間に配置されそれらに取り付けられた第１の光結合構成要素と、第２のライトガイドと第３のライトガイドとの間に配置されそれらに取り付けられた第２の光結合構成要素と、を含む、ライトガイドアセンブリが記載される。第１の光結合構成要素は、第１のライトガイドと第２のライトガイドとの間で光を結合するようになっており、第２の光結合構成要素は、第２のライトガイドと第３のライトガイドとの間で光を結合するようになっている。第１のライトガイド、第２のライトガイド、及び第１の光結合構成要素は、アセンブリの第１の領域にわたって同一の広がりを有し、第２のライトガイド、第３のライトガイド、及び第２の光結合構成要素は、アセンブリの異なる第２の領域にわたって同一の広がりを有する。【選択図】図６
2019502235.tif 000002
【特許請求の範囲】
【請求項１】
第１、第２、及び第３のライトガイドと、前記第１のライトガイドと前記第２のライトガイドとの間に配置され前記第１のライトガイドと前記第２のライトガイドに取り付けられ、前記第１のライトガイドと前記第２のライトガイドとの間で光を結合するようになっている第１の光結合構成要素と、前記第２のライトガイドと前記第３のライトガイドとの間に配置され前記第２のライトガイドと前記第３のライトガイドに取り付けられ、前記第２のライトガイドと前記第３のライトガイドとの間で光を結合するようになっている第２の光結合構成要素と、を備える物品であって、
前記第１のライトガイド、前記第２のライトガイド、及び前記第１の光結合構成要素は、前記物品の長さの第１の部分に沿って延びる前記物品の第１の領域にわたって同一の広がりを有し、前記第１の部分は、前記物品の前記長さの約２０パーセント〜８０パーセントの長さを有し、
前記第２のライトガイド、前記第３のライトガイド、及び前記第２の光結合構成要素は、前記物品の前記長さの第２の部分に沿って延びる前記物品の異なる第２の領域にわたって同一の広がりを有し、前記第２の部分は、前記物品の前記長さの約２０パーセント〜８０パーセントの長さを有し、前記長さの前記第２の部分は、前記長さの前記第１の部分に最大で部分的に同一の広がりを有し、
前記第２のライトガイドは、前記第２のライトガイドの側面を介して前記物品から光を抽出するように構成されている光抽出器を含む、物品。
【請求項２】
前記長さの前記第１及び第２の部分で重なり合いが実質的に存在しない、請求項１に記載の物品。
【請求項３】
前記長さの前記第１及び第２の部分は、前記物品の重なり合う領域内で同一の広がりを有する、請求項１に記載の物品。
【請求項４】
前記重なり合う領域の長さは、前記第１の部分の長さの半分未満である、請求項３に記載の物品。
【請求項５】
前記第１、第２、及び第３のライトガイドはそれぞれ、前記物品の第１の端部に隣接して配置された第１の端部、及び前記物品の反対側にある第２の端部に隣接して配置された第２の端部を有し、前記物品は、前記第１のライトガイドの前記第１の端部に光を注入するように配置された第１の光源と、前記第３のライトガイドの前記第２の端部に光を注入するように配置された第２の光源と、を含む、請求項１に記載の物品。
【請求項６】
前記第１の光源からの光は、主に前記第２のライトガイドの前記第２の端部に隣接する前記第２のライトガイドの第１の部分から実質的に均一に抽出される、請求項５に記載の物品。
【請求項７】
前記第２の光源からの光は、主に前記第２のライトガイドの前記第１の部分と前記第２のライトガイドの前記第１の端部との間に配置された前記第２のライトガイドの第２の部分から実質的に均一に抽出される、請求項６に記載の物品。
【請求項８】
モノリシックである、請求項１に記載の物品。
【請求項９】
前記光抽出器は、前記第１及び第２の領域のそれぞれの中に少なくとも部分的に配置されている、請求項１に記載の物品。
【請求項１０】
前記第１の光結合構成要素は、主に、前記第１のライトガイド内を伝播する第１の光の第１の振幅及び前記第２のライトガイド内を伝播する第２の光の第２の振幅のうちの少なくとも１つに相関する第１の光結合を実現するようになっている、請求項１に記載の物品。
【請求項１１】
前記第１の光結合構成要素は、光結合を防止するようになっている、前記第１の光結合構成要素の長さに沿った少なくとも１つの位置を有する、請求項１に記載の物品。
【請求項１２】
前記第１、第２、及び第３のライトガイドを備えるモノリシックアセンブリを押出成形することと、
前記第２のライトガイド内に前記光抽出器を形成することと、を含む、請求項１に記載の物品の製造方法。
【請求項１３】
光学システムであって、
前記光学システムの第１の端部に隣接して配置された第１の端部、及び前記光学システムの反対側に位置する第２の端部に隣接して配置された第２の端部をそれぞれ有する、第１、第２、及び第３のライトガイドであって、前記第２のライトガイドが前記第２のライトガイドの側面を介して前記光学システムから光を抽出するように構成されている光抽出器を含む、第１、第２、及び第３のライトガイドと、
前記第１のライトガイドと前記第２のライトガイドとの間に配置され前記第１のライトガイドと前記第２のライトガイドに取り付けられ、前記第１のライトガイドと前記第２のライトガイドとの間で光を結合するようになっている第１の光結合構成要素と、
前記第２のライトガイドと前記第３のライトガイドとの間に配置され前記第２のライトガイドと前記第３のライトガイドに取り付けられ、前記第２のライトガイドと前記第３のライトガイドとの間で光を結合するようになっている第２の光結合構成要素と、
前記第１のライトガイドの前記第１の端部に光を注入するように配置されている第１の光源と、
前記第３のライトガイドの前記第２の端部に光を注入するように配置されている第２の光源と、を備える、光学システムであって、
前記光学システムは、前記第１の光源からの光が主に前記第２のライトガイドの前記第２の端部に隣接する前記第２のライトガイドの第１の部分から実質的に均一に抽出され、かつ前記第２の光源からの光が主に前記第２のライトガイドの前記第１の部分と前記第２のライトガイドの前記第１の端部との間に配置されて前記第２のライトガイドの前記第１の部分に最大で部分的に重なり合う前記第２のライトガイドの第２の部分から実質的に均一に抽出されるように構成され、
前記第２のライトガイドの前記第１及び第２の部分のそれぞれは、前記第２のライトガイドの長さの少なくとも２０パーセントの長さを有する、光学システム。
【請求項１４】
モノリシックライトガイド物品が、前記第１、第２、及び第３のライトガイド、並びに前記第１及び第２の光結合構成要素を備える、請求項１３に記載の光学システム。
【請求項１５】
前記第１の光結合構成要素は、主に、前記第１のライトガイド内を伝播する第１の光の第１の振幅及び前記第２のライトガイド内を伝播する第２の光の第２の振幅のうちの少なくとも１つに相関する第１の光結合を実現するようになっている、請求項１３に記載の光学システム。
【請求項１６】
前記第１の光結合構成要素は、光結合を防止するようになっている、前記第１の光結合構成要素の長さに沿った少なくとも１つの位置を有する、請求項１３に記載の光学システム。
【請求項１７】
モノリシック光パイプであって、反対側にある第１の端面と第２の端面との間に前記光パイプの長さに沿って延び、重なり合わない第１及び第２の部分であって、それぞれの部分が前記モノリシック光パイプの長さの少なくとも２０パーセントの長さを有する第１及び第２の部分を備える、モノリシック光パイプであって、前記光パイプは、前記第１の端面と前記第２の端面との間に配置され、光を前記光パイプに結合するように構成されている第１の光結合構成要素を備え、前記光パイプは、前記第１の端面と前記第２の端面との間に、光を前記光パイプに結合するように構成されている異なる第２の光結合構成要素を有し、前記光パイプは、前記第１の光結合構成要素を介して前記光パイプに結合された光が主に前記光パイプの前記第１の部分から実質的に均一に抽出され、かつ前記第２の光結合構成要素を介して前記光パイプに結合された光が主に前記光パイプの前記第２の部分から実質的に均一に抽出されるように構成されている、モノリシック光パイプ。
【請求項１８】
前記光パイプの側面を介して前記光パイプから光を抽出するように構成されている光抽出器を更に備える、請求項１７に記載のモノリシック光パイプ。
【請求項１９】
前記光抽出器は、前記第１及び第２の領域のそれぞれの中に少なくとも部分的に配置されている、請求項１８に記載のモノリシック光パイプ。
【請求項２０】
請求項１７に記載のモノリシック光パイプと、
第１のライトガイドであって、前記第１の光結合構成要素が前記第１のライトガイドと前記光パイプとの間に配置され、前記第１のライトガイドと前記光パイプとの間で光を結合するようになっている、第１のライトガイドと、
第２のライトガイドであって、前記第２の光結合構成要素が前記第２のライトガイドと前記光パイプとの間に配置され、前記第２のライトガイドと前記光パイプとの間で光を結合するようになっている、第２のライトガイドと、を備える、物品。
【発明の詳細な説明】
【背景技術】
【０００１】
ライトガイドは、ライトガイドの側面から光を抽出するために配置された光抽出特徴を含むことができる。そのようなライトガイドは、ストリップ型照明及びパネル型照明などの様々な用途における照明に使用することができる。
【発明の概要】
【０００２】
本明細書のいくつかの態様では、第１、第２、及び第３のライトガイドと、第１のライトガイドと第２のライトガイドとの間に配置されてそれらに取り付けられ、第１のライトガイドと第２のライトガイドとの間で光を結合するようになっている第１の光結合構成要素と、第２のライトガイドと第３のライトガイドとの間に配置されそれらに取り付けられ、第２のライトガイドと第３のライトガイドとの間で光を結合するようになっている第２の光結合構成要素と、を備える物品が提供される。第１のライトガイド、第２のライトガイド、及び第１の光結合構成要素は、物品の長さの第１の部分に沿って延びる物品の第１の領域にわたって同一の広がりを有し、第１の部分は、物品の長さの約２０パーセント〜８０パーセントの長さを有する。第２のライトガイド、第３のライトガイド、及び第２の光結合構成要素は、物品の長さの第２の部分に沿って延びる物品の異なる第２の領域にわたって同一の広がりを有し、第２の部分は、物品の長さの約２０パーセント〜８０パーセントの長さを有する。長さの第２の部分は、長さの第１の部分に最大で部分的に同一の広がりを有する。第２のライトガイドは、第２のライトガイドの側面を介して物品から光を抽出するように構成されている光抽出器を含む。
【０００３】
本明細書のいくつかの態様では、第１、第２、及び第３のライトガイドを含む光学システムが提供される。第１、第２、及び第３のライトガイドはそれぞれ、光学システムの第１の端部に隣接して配置された第１の端部、及び光学システムの反対側にある第２の端部に隣接して配置された第２の端部を有する。第２のライトガイドは、第２のライトガイドの側面を介して光学システムから光を抽出するように構成されている光抽出器を含む。第１の光結合構成要素は、第１のライトガイドと第２のライトガイドとの間に配置されそれらに取り付けられ、第１のライトガイドと第２のライトガイドとの間で光を結合するようになっている。第２の光結合構成要素は、第２のライトガイドと第３のライトガイドとの間に配置されそれらに取り付けられ、第２のライトガイドと第３のライトガイドとの間で光を結合するようになっている。第１の光源は、第１のライトガイドの第１の端部に光を注入するように配置され、第２の光源は、第３のライトガイドの第２の端部に光を注入するように配置されている。光学システムは、第１の光源からの光が主に第２のライトガイドの第２の端部に隣接する第２のライトガイドの第１の部分から実質的に均一に抽出され、かつ第２の光源からの光が主に第２のライトガイドの第１の部分と第２のライトガイドの第１の端部との間に配置されて第２のライトガイドの第１の部分と最大で部分的に重なり合う第２のライトガイドの第２の部分から実質的に均一に抽出されるように構成されている。第２のライトガイドの第１及び第２の部分のそれぞれは、第２のライトガイドの長さの少なくとも２０パーセントの長さを有する。
【０００４】
本明細書のいくつかの態様では、反対側にある第１の端面と第２の端面との間に光パイプの長さに沿って延び、重なり合わない第１及び第２の部分であって、それぞれの部分がモノリシック光パイプの長さの少なくとも２０パーセントの長さを有する、第１及び第２の部分を備える、モノリシック光パイプが提供される。光パイプは、第１の端面と第２の端面との間に配置され、光を光パイプに結合するように構成されている第１の光結合構成要素を備え、光パイプは、第１の端面と第２の端面との間に、光を光パイプに結合するように構成されている異なる第２の光結合構成要素を備える。光パイプは、第１の光結合構成要素を介して光パイプに結合された光が主に光パイプの第１の部分から実質的に均一に抽出され、かつ第２の光結合構成要素を介して光パイプに結合された光が主に光パイプの第２の部分から実質的に均一に抽出されるように構成されている。
【図面の簡単な説明】
【０００５】
【図１】ライトガイドアセンブリを含む光学システムの概略上面図である。
【図２】ライトガイドアセンブリを含む光学システムの概略上面図である。
【図３】ライトガイドアセンブリの概略上面図である。
【図４】光パイプの概略上面図である。
【図５】光パイプの概略上面図である。
【図６】ライトガイドアセンブリの斜視図である。
【図７】ライトガイドアセンブリの斜視図である。
【図８Ａ】ライトガイドアセンブリの概略断面図である。
【図８Ｂ】ライトガイドアセンブリの概略断面図である。
【図８Ｃ】ライトガイドアセンブリの概略断面図である。
【図９】ライトガイドアセンブリの概略断面図である。
【図１０】ライトガイドアセンブリの概略断面図である。
【図１１】ライトガイドアセンブリの製造方法を示すフローチャートである。
【図１２】ライトガイドの長さに沿った位置に相関する輝度のグラフである。
【発明を実施するための形態】
【０００６】
以下の説明では、本明細書の一部を構成し、様々な実施形態が実例として示される、添付図面が参照される。図面は、必ずしも一定の比率の縮尺ではない。本開示の範囲又は趣旨から逸脱することなく、他の実施形態が想定され、実施され得ることを理解されたい。したがって、以下の発明を実施するための形態は、限定的な意味で解釈されないものとする。
【０００７】
照明に利用されるライトガイドは、ライトガイドの側面から光を抽出するための光抽出器を含むことができ、１つ以上の光源から光入力を受け入れることができる入力端部又は互いを向いている入力端部を含むことができる。光抽出器は、１つ以上の目標エリアの均一な照明を提供するように配置することができる、複数の別個の離間する光抽出特徴を含むことができる。しかし、目標エリアで全体に均一な照明強度を生成するように光抽出特徴の分布を選択することは、困難であり得る。更に、２つ以上の目標エリアの照明を独立して制御することができることが望まれる場合がある。本明細書によれば、隣接するライトガイド間に光結合構成要素を有する３つのライトガイドを用いることにより、２つの目標エリアのより均一な照明を提供することができることが見出されている。例えば、ライトガイド物品又はアセンブリは第１、第２、及び第３のライトガイドを含み、第１の光結合構成要素が第１のライトガイドと第２のライトガイドとの間に配置されそれらに取り付けられ、第２の光結合構成要素が第２のライトガイドと第３のライトガイドとの間に配置されそれらに取り付けられてもよい。第１のライトガイドは、ライトガイドアセンブリの第１の端部の第１の光源（例えば、１つ以上の発光ダイオード（light emitting diodes）（ＬＥＤ））からの光入力を受け入れることができ、第３のライトガイドは、ライトガイドアセンブリの反対側にある第２の端部の第２の光源からの光入力を受け入れることができる。第２のライトガイドは、第１及び第２の光結合構成要素を介して第１及び第３のライトガイドから光入力を受け入れる。第２のライトガイドは、第２のライトガイドの側面を介してアセンブリから光を抽出する、光抽出器を含む。第１の光結合構成要素及び光抽出器は、第１の光源からの光が主に第２のライトガイドの第１の部分から実質的に均一に抽出されるように構成することができ、第２の光結合構成要素及び光抽出器は、第２の光源からの光が主に第２のライトガイドの異なる第２の部分から実質的に均一に抽出されるように構成することができる。
【０００８】
図１は、ライトガイドアセンブリ又は物品１０１、並びに第１及び第２の光源１３０及び１３２を含む、光学システム１００の概略上面図である。ライトガイド物品１０１は、第１、第２、及び第３のライトガイド１０２、１０４、及び１０５を含み、第１及び第２の光結合構成要素１０６及び１０７を含む。
【０００９】
第１の光結合構成要素１０６は、第１のライトガイド１０２と第２のライトガイド１０４との間に配置されてそれらに取り付けられ、第１のライトガイド１０２と第２のライトガイド１０４との間で光を結合するようになっている。第２の光結合構成要素１０７は、第２のライトガイド１０４と第３のライトガイド１０５との間に配置されてそれらに取り付けられ、第２のライトガイド１０４と第３のライトガイド１０５との間で光を結合するようになっている。第１のライトガイド１０２、第２のライトガイド１０４、及び第１の光結合構成要素１０６は、物品１０１の長さ（ＬＡ）の第１の部分（長さＬ１を有する）に沿って延びる物品１０１の第１の領域１２０にわたって同一の広がりを有する。第２のライトガイド１０４、第３のライトガイド１０５、及び第２の光結合構成要素１０７は、物品１０１の長さの第２の部分（長さＬ２を有する）に沿って延びる物品１０１の第２の領域１２２にわたって同一の広がりを有する。長さの第２の部分は、長さの第１の部分と最大で部分的に同一の広がりを有する。例えば、図１に示すように、長さの第１及び第２の部分の重なり合いが実質的に存在しなくてもよい、又は、本明細書の他のところで更に説明するように、長さの第１及び第２の部分は、重なり合う領域内で同一の広がりを有することができる。長さＬ１及びＬ２のそれぞれは、物品１００の長さＬＡの約２０パーセント〜約８０パーセント、又は約３０パーセント〜約７０パーセント、又は約４０パーセント〜約６０パーセントとすることができる。
【００１０】
本明細書の他のところで更に説明するように、第２のライトガイド１０４は、第２のライトガイド１０４の側面を介して物品１００から光を抽出するように構成されている光抽出器を含む。光抽出器は、第１及び第２の領域１２０及び１２２内に少なくとも部分的に配置することができる。
【００１１】
第１、第２、及び第３のライトガイド１０２、１０４、及び１０５はそれぞれ、物品１０１の第１の端部１７２に隣接して配置された第１の端部（それぞれ１１８、１１２、及び１２８）、及び物品１０１の反対側にある第２の端部１７３に隣接して配置された第２の端部（それぞれ１１９、１１３、及び１２９）を有する。第１の光源１３０は、第１のライトガイド１０２の第１の端部１１８に光を注入するように配置され、第２の光源１３２は、第３のライトガイド１０５の第２の端部１２９に光を注入するように配置される。いくつかの実施形態では、第１の光源１３０からの光は、主に第２のライトガイド１０４の第２の端部１１３に隣接する第２のライトガイド１０４の第１の部分１８３から実質的に均一に抽出される。いくつかの実施形態では、第２の光源１３２からの光は、主に第２のライトガイド１０４の第１の部分１８３と第２のライトガイド１０４の第１の端部１１２との間に配置された第２のライトガイド１０４の第２の部分１８５から実質的に均一に抽出される。いくつかの実施形態では、第２のライトガイド１０４の第１及び第２の部分１８３及び１８５のそれぞれは、第２のライトガイド１０４の長さの少なくとも３０％の長さを有する。いくつかの実施形態では、第１の部分１８３の長さは、第１の領域１２０の長さＬ１の少なくとも５０％、又は少なくとも７０％、又は少なくとも８０％、又は少なくとも９０％とすることができる。いくつかの実施形態では、第１の部分１８３の長さは、第１の領域１２０の長さＬ１と実質的に等しくすることができる。いくつかの実施形態では、第２の部分１８５の長さは、第２の領域１２２の長さＬ２の少なくとも５０％、又は少なくとも７０％、又は少なくとも８０％、又は少なくとも９０％とすることができる。いくつかの実施形態では、第２の部分１８５の長さは、第２の領域１２２の長さＬ２と実質的に等しくすることができる。いくつかの実施形態では、第２のライトガイド１０４の第１の部分１８３は、第１の光結合構成要素１０６と実質的に同一の広がりを有し、第２のライトガイド１０４の第２の部分１８５は、第２の光結合構成要素１０７と実質的に同一の広がりを有する。第１及び第２の部分１８３及び１８５は、実質的に重なり合わない、又は最大で部分的に重なり合うことができる。第１及び第２の部分１８３及び１８５の長さのそれぞれは、物品１０１の長さＬＡと実質的に等しくすることができる第２のライトガイド１０４の長さの約２０パーセント〜約８０パーセント、又は約３０パーセント〜約７０パーセント、又は約４０パーセント〜約６０パーセントとすることができる。第１及び第２の部分１８３及び１８５の長さのそれぞれは、第２のライトガイド１０４の長さの約５０パーセントとすることができる。
【００１２】
いくつかの実施形態では、第２のライトガイド１０４から抽出される第１の光源１３０からの光は合計発光エネルギを有し、合計発光エネルギの４０パーセント以下、又は３０パーセント以下、又は２０パーセント以下、又は１０パーセント以下が、第２のライトガイド１０４の第２の部分１８５から抽出される。同様に、いくつかの実施形態では、第２のライトガイド１０４から抽出される第２の光源１３２からの光は合計発光エネルギを有し、合計発光エネルギの４０パーセント以下、又は３０パーセント以下、又は２０パーセント以下、又は１０パーセント以下が、第２のライトガイド１０４の第１の部分１８３から抽出される。いくつかの実施形態では、第２のライトガイド１０４の第１の部分１８３から抽出される第１の光源１３０からの光は、第２のライトガイド１０４の第１の部分１８３の長さに沿って、５０パーセント未満、又は４０パーセント未満、又は３０パーセント未満、又は２０パーセント未満、又は１０パーセント未満で変動する輝度を有する。同様に、いくつかの実施形態では、第２のライトガイド１０４の第２の部分１８５から抽出される第２の光源１３２からの光は、第２のライトガイド１０４の第２の部分１８５の長さに沿って、５０パーセント未満、又は４０パーセント未満、又は３０パーセント未満、又は２０パーセント未満、又は１０パーセント未満で変動する輝度を有する。
【００１３】
ライトガイドの一部分から発せられる光の輝度は、その部分全体から光を受光することができるように配置された好適な光度計（Ｒａｄｉａｎｔ  Ｖｉｓｉｏｎ  Ｓｙｓｔｅｍｓ，ＬＬＣ（Ｒｅｄｍｏｎｄ，ＷＡ）から入手可能なものなどの）を使用することにより、測定することができる。ライトガイドのその部分からの輝度の変動は、その部分からの最大輝度からその部分からの最小輝度を引いたものを最大輝度で割って１００パーセントをかけたものであると理解することができる。例えば、ライトガイドの一部分は、最小輝度の４倍の大きさの最大輝度を生成することができる。この場合では、この部分に沿った輝度の変動は、７５パーセントである。別の例として、ライトガイドの一部分は、最大輝度の半分の大きさの最小輝度を生成することができる。この場合では、この部分に沿った輝度の変動は、５０パーセントである。いくつかの用途では、７５パーセントの輝度の変動は望ましくないことがあるが、５０パーセントの輝度の変動は許容できることがある。光は、その部分の長さに沿った輝度の変動が５０パーセント以下である場合に、ライトガイドの一部分から実質的に均一に抽出されると言うことができる。
【００１４】
いくつかの実施形態では、第２のライトガイド１０４並びに第１及び第２の光結合構成要素１０６及び１０７はモノリシックであり、モノリシック光パイプとして説明することができる。いくつかの実施形態では、ライトガイド物品１０１はモノリシックである。本明細書の他のところで更に説明するように、例えば、光抽出器及び光結合構成要素を形成するための後処理工程と共に、成形により、又は押し出しにより、モノリシックライトガイド物品を製造することができる。
【００１５】
図２は、ライトガイド物品２０１、並びに第１及び第２の光源２３０及び２３２を含む、光学システム２００の概略上面図である。ライトガイド物品２０１は、第１、第２、及び第３のライトガイド２０２、２０４、及び２０５を含み、第１及び第２の光結合構成要素２０６及び２０７を含む。
【００１６】
第１の光結合構成要素２０６は、第１のライトガイド２０２と第２のライトガイド２０４との間に配置されてそれらに取り付けられ、第１のライトガイド２０２と第２のライトガイド２０４との間で光を結合するようになっている。第２の光結合構成要素２０７は、第２のライトガイド２０４と第３のライトガイド３０５との間に配置されてそれらに取り付けられ、第２のライトガイド２０４と第３のライトガイド２０５との間で光を結合するようになっている。第１のライトガイド２０２、第２のライトガイド２０４、及び第１の光結合構成要素２０６は、物品２０１の長さ（ＬＡ）の第１の部分（長さＬ１を有する）に沿って延びる物品２０１の第１の領域２２０にわたって、同一の広がりを有する。第２のライトガイド２０４、第３のライトガイド２０５、及び第２の光結合構成要素２０７は、物品２０１の長さの第２の部分（長さＬ２を有する）に沿って延びる物品２０１の第２の領域２２２にわたって、同一の広がりを有する。長さの第２の部分は、長さの第１の部分と最大で部分的に同一の広がりを有する。長さの第１及び第２の部分は、長さＬｏを有する物品２０１の第３の部分に沿って延びる重なり合う領域２２４内で、同一の広がりを有する。いくつかの実施形態では、重なり合う領域の長さＬｏは、第１の部分の長さＬ１の半分未満、又は４０パーセント未満、又は３０パーセント未満、又は２０パーセント未満、又は１０パーセント未満である。長さＬ１及びＬ２のそれぞれは、物品２００の長さＬＡの約２０パーセント〜約８０パーセント、又は約３０パーセント〜約７０パーセント、又は約４０パーセント〜約６０パーセントとすることができる。
【００１７】
本明細書の他のところで更に説明するように、第２のライトガイド２０４は、第２のライトガイド２０４の側面を介して物品２００から光を抽出するように構成されている光抽出器を含む。光抽出器は、第１及び第２の領域２２０及び２２２内に少なくとも部分的に配置することができる。
【００１８】
第１、第２、及び第３のライトガイド２０２、２０４、及び２０５はそれぞれ、物品２０１の第１の端部２７２に隣接して配置された第１の端部（それぞれ２１８、２１２、及び２２８）、及び物品２０１の反対側にある第２の端部２７３に隣接して配置された第２の端部（それぞれ２１９、２１３、及び２２９）を有する。第１の光源２３０は、第１のライトガイド２０２の第１の端部２１８に光を注入するように配置され、第２の光源２３２は、第３のライトガイド２０５の第２の端部２２９に光を注入するように配置されている。いくつかの実施形態では、第１の光源２３０からの光は、主に第２のライトガイド２０４の第２の端部２１３に隣接する第２のライトガイド２０４の第１の部分２８３から実質的に均一に抽出される。いくつかの実施形態では、第２の光源２３２からの光は、主に第２のライトガイド２０４の第１の部分２８３と第２のライトガイド２０４の第１の端部２１２との間に配置された第２のライトガイド２０４の第２の部分２８５から実質的に均一に抽出される。
【００１９】
いくつかの実施形態では、第２のライトガイド２０４の第１及び第２の部分２８３及び２８５のそれぞれは、第２のライトガイド２０４の長さの少なくとも３０％の長さを有する。いくつかの実施形態では、第１及び第２の部分２８３及び２８５は、重なり合う領域２２４内で重なり合うことができる一方で、他の実施形態では、第１及び第２の部分２８３及び２８５は、重なり合う領域２２４の外側にのみ物品２０１の部分を含むことができる。いくつかの実施形態では、第１の部分２８３の長さは、第１の領域１２０の長さＬ１の少なくとも５０％、又は少なくとも７０％、又は少なくとも８０％、又は少なくとも９０％とすることができる。いくつかの実施形態では、第１の部分２８３の長さは、第１の領域２２０の長さＬ１と実質的に等しくすることができる。いくつかの実施形態では、第２の部分２８５の長さは、第２の領域２２２の長さＬ２の少なくとも５０％、又は少なくとも７０％、又は少なくとも８０％、又は少なくとも９０％とすることができる。いくつかの実施形態では、第２の部分２８５の長さは、第２の領域２２２の長さＬ２と実質的に等しくすることができる。いくつかの実施形態では、第２のライトガイド２０４の第１の部分２８３は、第１の光結合構成要素２０６と実質的に同一の広がりを有し、第２のライトガイド２０４の第２の部分２８５は、第２の光結合構成要素２０７と実質的に同一の広がりを有する。第１及び第２の部分２８３及び２８５は、実質的に重なり合わない、又は最大で部分的に重なり合うことができる。第１及び第２の部分２８３及び２８５の長さのそれぞれは、物品２０１の長さＬＡと実質的に等しくすることができる第２のライトガイド２０４の長さの約２０パーセント〜約８０パーセント、又は約３０パーセント〜約７０パーセント、又は約４０パーセント〜約６０パーセントとすることができる。第１及び第２の部分２８３及び２８５の長さのそれぞれは、第２のライトガイド２０４の長さの約５０パーセントとすることができる。
【００２０】
いくつかの実施形態では、第２のライトガイド２０４から抽出される第１の光源２３０からの光は合計発光エネルギを有し、合計発光エネルギの４０パーセント以下、又は３０パーセント以下、又は２０パーセント以下、又は１０パーセント以下が、第２のライトガイド２０４の第２の部分２８５から抽出される。同様に、いくつかの実施形態では、第２のライトガイド２０４から抽出される第２の光源２３２からの光は合計発光エネルギを有し、合計発光エネルギの４０パーセント以下、又は３０パーセント以下、又は２０パーセント以下、又は１０パーセント以下が、第２のライトガイド２０４の第１の部分２８３から抽出される。いくつかの実施形態では、第２のライトガイド２０４の第１の部分２８３から抽出される第１の光源２３０からの光は、第２のライトガイド２０４の第１の部分２８３の長さに沿って、４０パーセント未満、又は３０パーセント未満、又は２０パーセント未満、又は１０パーセント未満で変動する輝度を有する。同様に、いくつかの実施形態では、第２のライトガイド２０４の第２の部分２８５から抽出される第２の光源２３２からの光は、第２のライトガイド２０４の第２の部分２８５の長さに沿って、４０パーセント未満、又は３０パーセント未満、又は２０パーセント未満、又は１０パーセントで変動する輝度を有する。
【００２１】
いくつかの実施形態では、第２のライトガイド２０４並びに第１及び第２の光結合構成要素２０６及び２０７はモノリシックであり、モノリシック光パイプとして説明することができる。いくつかの実施形態では、ライトガイド物品２０１はモノリシックである。
【００２２】
光学システム２００は、第１及び第２の光源２３０及び２３２を独立して制御するようになっているコントローラ２７７を含む。いくつかの実施形態では、第１の光源２３０からの光は第１の色を有し、第２の光源２３２からの光は異なる第２の色を有する。いくつかの実施形態では、光学システム２００は、重なり合う領域２２４から、第１及び第２の色とは異なる第３の色を抽出するように構成されている。例えば、第１の光源２３０は青色光を提供することができ、第２の光源２３２は黄色光を提供することができ、重なり合う領域２２４から緑色光（青色及び黄色のブレンド）を抽出することができる。コントローラ２７７は、両方の光源が作動されるモード、１つの光源が作動されるが他方の光源は作動されないモード、及びコントローラ２７７が第１及び第２の光源２３０及び２３２を交互にオン及びオフにするようになっているモードなどの、異なる複数のモードを有することができる。
【００２３】
図３は、物品３０１の第１の端部３７２に隣接する第１の端部（それぞれ３１８、３１２、及び３２８）、及び物品３０１の第２の端部３７３に隣接する第２の端部（それぞれ３１９、３１３、及び３２９）をそれぞれ有する、第１、第２、及び第３のライトガイド３０２、３０４、及び３０５を含む、ライトガイド物品３０１の概略上面図である。第１の光結合構成要素３０６は、第１のライトガイド３０２と第２のライトガイド３０４との間に配置されてそれらに取り付けられ、第２の光結合構成要素３０７は、第２のライトガイド３０４と第３のライトガイド３０５との間に配置されてそれらに取り付けられる。第１及び第２の光結合構成要素３０６及び３０７並びに第２のライトガイド３０４はモノリシックとすることができ、モノリシック光パイプとして説明することができる。第１のライトガイド３０２及び第１の光結合構成要素３０６はモノリシックとすることができ、第３のライトガイド３０５及び第２の光結合構成要素３０７はモノリシックとすることができ、物品３０１はモノリシックとすることができる。第１の光結合構成要素３０６は、第１及び第２のライトガイド３０２及び３０４を光学的に結合するようになっている複数の領域３０６ａを含み、光結合を防止するようになっている複数の領域３３３を画定する。同様に、第２の光結合構成要素３０７は、第２及び第３のライトガイド３０２及び３０４を光学的に結合するようになっている複数の領域３０７ａを含み、光結合を防止するようになっている複数の領域３３５を画定する。
【００２４】
第１の光結合構成要素３０６は、第１のライトガイド３０２と第２のライトガイド３０４との間に配置されてそれらに取り付けられ、第１のライトガイド３０２と第２のライトガイド３０４との間で光を結合するようになっている。第２の光結合構成要素３０７は、第２のライトガイド３０４と第３のライトガイド３０５との間に配置されてそれらに取り付けられ、第２のライトガイド３０４と第３のライトガイド３０５の間で光を結合するようになっている。第１のライトガイド３０２、第２のライトガイド３０４、及び第１の光結合構成要素３０６は、物品３０１の長さ（ＬＡ）の第１の部分（長さＬ１を有する）に沿って延びる物品３０１の第１の領域３２０にわたって、同一の広がりを有する。第２のライトガイド３０４、第３のライトガイド３０５、及び第２の光結合構成要素３０７は、物品３０１の長さの第２の部分（長さＬ２を有する）に沿って延びる物品３０１の第２の領域３２２にわたって、同一の広がりを有する。長さの第２の部分は、長さの第１の部分と最大で部分的に同一の広がりを有する。
【００２５】
いくつかの実施形態では、第１の光源は、第１のライトガイド３０２の第１の端部３１８に光を注入するように配置され、第２の光源は、第３のライトガイド３０５の第２の端部３２９に光を注入するように配置される。いくつかの実施形態では、本明細書の他のところで更に説明するように（例えば、図１及び図２に関連した説明を参照）、第１の光源からの光は、主に第２のライトガイド３０４の第２の端部３１３に隣接する第２のライトガイド３０４の第１の部分から実質的に均一に抽出される。いくつかの実施形態では、本明細書の他のところで説明するように（例えば、図１及び図２に関連した説明を参照）、第２の光源からの光は、主に第２のライトガイド３０４の第１の部分と第２のライトガイド３０４の第１の端部３１２との間に配置された第２のライトガイド３０４の第２の部分から実質的に均一に抽出される。
【００２６】
第２のライトガイド３０４は、第２のライトガイド３０４の側面（例えば、図３で見える上面の反対側にある第２のライトガイド３０４の底面）を介して物品３０１から光を抽出するように構成されている光抽出器３０８を含む。光抽出器３０８は、第２のライトガイド３０４の反対側にある側面から光を抽出するようになっている複数の別個の離間する特徴（例えば、ノッチ）を含む。他の実施形態では、光抽出器３０８は、例えば、連続拡散体（例えば、図６〜図７に示すような拡散性ストリップ）とすることができる。
【００２７】
第１のライトガイド３０２は、図示した実施形態ではそれぞれ連続又は実質的に連続な光抽出器３３８を含む。他の実施形態では、本明細書の他のところで説明するように、光抽出器３３８はそれぞれ不連続とすることができ、別個の離間する光抽出特徴を含むことができる。光抽出器３３８は、第１のライトガイド３０２の表面の１つ以上の表示を点灯させるようになっている。図示した実施形態では、１つ以上の表示は、２つの表示、即ち星印及び矢印を含む。他の実施形態では、１つ、２つ、又は２つより多い表示を含めることができる。表示は、例えば、ロゴ又は情報表示（例えば、警告標識）とする又はそれらを含むことができる。光抽出器３３８は、例えば、それぞれの表示又はそれぞれの表示の部分を点灯させるための拡散体などの連続部分を含むことができ、及び／又はそれぞれの表示又はそれぞれの表示の部分を点灯させるように配置された別個の離間する特徴を含むことができる。光抽出器３３８は、第１のライトガイド３０２の表面の平面又は平面部分上に配置することができる。光抽出器３３８などの光抽出器は、第２及び／又は第３のライトガイド３０４及び３０５に代わりに又は追加して含めることができる。
【００２８】
図４は、互いに向かい合う第１の端面４１８と第２の端面４１９との間を光パイプ４０４の長さＬに沿って延び、それぞれモノリシック光パイプ４０４の長さＬの少なくとも２０パーセントの長さを有する、重なり合わない第１及び第２の部分４８３及び４８５を含む、モノリシック光パイプ４０４の概略上面図である。第１及び第２の部分４８３及び４８５の長さのそれぞれは、光パイプ４０４の長さの約２０パーセント〜約８０パーセント、又は約３０パーセント〜約７０パーセント、又は約４０パーセント〜約６０パーセントとすることができる。第１及び第２の部分４８３及び４８５の長さのそれぞれは、光パイプ４０４の長さの約５０パーセントとすることができる。モノリシック光パイプ４０４は、第１の端面４１８と第２の端面４１９との間に配置され、光を光パイプ４０４に結合するように構成された第１の光結合構成要素４０６を含む。光パイプは、第１の端面４１８と第２の端面４１９との間に、光を光パイプ４０４に結合するように構成された、異なる第２の光結合構成要素４０７を含む。光パイプ４０４は、第１の光結合構成要素４０６を介して光パイプに結合された光は主に光パイプの第１の部分４８３から実質的に均一に抽出され、第２の光結合構成要素４０７を介して光パイプに結合された光は主に光パイプ４０４の第２の部分４８５から実質的に均一に抽出されるように構成されている。光パイプ４０４は、光パイプ４０４の側面から光を抽出するように構成されている光抽出器４０８を含む。光抽出器４０８は、例えば、ノッチを含むことができる、又は、例えば、連続拡散体を含むことができる。光抽出器は、第１及び第２の部分４８３及び４８５内に少なくとも部分的に配置することができる。
【００２９】
図５は、長さＬを有し、光抽出器５０８並びに第１及び第２の光結合構成要素５０６及び５０７を含む、モノリシック光パイプ５０４の概略上面図である。モノリシック光パイプ５０４は、光抽出器５０８を除き、モノリシック光パイプ４０４に対応することができる。モノリシック光パイプの上面は、隣接する三つ組の間での均一なピッチＰ、及び三つ組内の隣接するノッチ間での間隙ｇを有する、ノッチ５７９の複数の三つ組５７８を含む光抽出器５０８を含む。ノッチ５７９は、幅Ｗを有する。第１及び第２の光結合構成要素５０６及び５０７の形状は、本明細書の他のところで説明した光結合構成要素のいずれかの形状と同様とすることができる。
【００３０】
図６は、第１のライトガイド６０２と、第２のライトガイド６０４と、第１のライトガイド６０２と第２のライトガイド６０４との間に配置されそれらに取り付けられた第１の光結合構成要素６０６と、第３のライトガイド６０５と、第２のライトガイド６０４と第３のライトガイド６０５との間に配置されそれらに取り付けられた第２の光結合構成要素６０７とを含む、ライトガイド物品６００の斜視図である。第１の光結合構成要素６０６は、第１のライトガイド６０２と第２のライトガイド６０４との間で光を結合するようになっており、第２の光結合構成要素６０７は、第２のライトガイド６０４と第３のライトガイド６０５との間で光を結合するようになっている。図６に示す実施形態では、第１、第２、及び第３のライトガイド６０２、６０４、及び６０５は、ライトガイド物品６００の長さ全体にわたって、又は実質的に長さ全体にわたって、同一の広がりを有する。他の実施形態では、第１、第２、及び第３のライトガイド６０２、６０４、及び６０５は、異なる長さを有することができる。いくつかの実施形態では、第１及び第２のライトガイド６０２及び６０４並びに第１の光結合構成要素６０６は、ライトガイド物品６００の長さの一部分に沿って延びるライトガイド物品６００の第１の領域６８３にわたって、同一の広がりを有し、第２及び第３のライトガイド６０４及び６０５並びに第２の光結合構成要素６０７は、ライトガイド物品６００の長さの一部分に沿って延びるライトガイド物品６００の第２の領域６８５にわたって、同一の広がりを有する。第１及び第２の領域６８３及び６８５は、最大で部分的に重なり合う。いくつかの実施形態では、第１及び第２の領域６８３及び６８５は重なり合わない。本明細書の他のところで説明したように、いくつかの実施形態では、物品６００は、第１のライトガイド６０２の側面６１８に注入された光が主に第１の領域６８３から実質的に均一に抽出され、第３のライトガイド６０５の側面６２９に注入された光が主に第２の領域６８５から実質的に均一に抽出されるようになっている。
【００３１】
第２のライトガイド６０４は、互いに向かい合う第１及び第２の端部６１２及び６１３を含み、本明細書の他のところで説明した光抽出器のいずれかに対応することができる光抽出器６０８を含む。光抽出器６０８は、第２のライトガイド６０４の側面６１６を介してライトガイド物品６００から光を抽出するようになっている。第１のライトガイド６０２は、互いに向かい合う第１及び第２の端部６１８及び６１９を含み、１つ以上の平面６３７を含む側面を含む。第３のライトガイド６０５は、互いに向かい合う第１及び第２の端部６２８及び６２９を含み、１つ以上の平面６３９を含む側面を含む。第１及び第３のライトガイド６０２及び６０５のうちの１つ又は両方は、表面６３７及び６３９のうちの１つ以上を介してライトガイド物品６００から光を抽出するようになっている光抽出器を含むことができる。いくつかの実施形態では、そのような光抽出器は、表面６３７及び６３９のうちの１つ以上の１つ以上の表示を点灯させるようになっている。
【００３２】
１つ以上の光源は、端部６１２、６１３、６１８、６１９、６２８、及び６２９のうちの１つ以上に近接配置することができる。いくつかの実施形態では、光源は、第１のライトガイド６０２の第１及び第２の端部６１８及び６１９のうちの１つ又は両方に近接配置され、光源は、第３のライトガイド６０５の第１及び第２の端部６２８及び６２９のうちの１つ又は両方に近接配置される。第２のライトガイド６０４は、実質的に第１及び第３のライトガイド６０２及び６０５からのみ光を受光することができ、第２のライトガイド６０４の第１及び第２の端部６１２及び６１３に近接配置されたいずれの光源からも受光できない。
【００３３】
第１及び第２の光結合構成要素６０６及び６０７は、連続又は不連続とすることができ、図７に示すように、それぞれの隣接するライトガイド間の光結合を防止するようになっている、光結合構成要素の長さに沿った１つ以上の位置を規定することができる。
【００３４】
図７は、第１のライトガイド７０２と、第２のライトガイド７０４と、第１のライトガイド７０２と第２のライトガイド７０４との間に配置されそれらに取り付けられた第１の光結合構成要素７０６と、第３のライトガイド７０５と、第２のライトガイド７０４と第３のライトガイド７０５との間に配置されそれらに取り付けられた第２の光結合構成要素７０７と、を含む、ライトガイド物品７００の斜視図である。第１の光結合構成要素７０６は、第１のライトガイド７０２と第２のライトガイド７０４との間で光を結合するようになっており、第２の光結合構成要素７０７は、第２のライトガイド７０４と第３のライトガイド７０５との間で光を結合するようになっている。
【００３５】
図７に示す実施形態では、第１、第２、及び第３のライトガイド７０２、７０４、及び７０５は、ライトガイド物品７００の長さ全体にわたって、又は実質的に長さ全体にわたって、同一の広がりを有する。他の実施形態では、第１、第２、及び第３のライトガイド７０２、７０４、及び７０５は、異なる長さを有することができる。いくつかの実施形態では、第１及び第２のライトガイド７０２及び７０４並びに第１の光結合構成要素７０６は、ライトガイド物品７００の長さの一部分に沿って延びるライトガイド物品７００の第１の領域７８３にわたって、同一の広がりを有し、第２及び第３のライトガイド７０４及び７０５並びに第２の光結合構成要素７０７は、ライトガイド物品７００の長さの一部分に沿って延びるライトガイド物品７００の第２の領域７８５にわたって、同一の広がりを有する。第１及び第２の領域７８３及び７８５は、最大で部分的に重なり合う。いくつかの実施形態では、第１及び第２の領域７８３及び７８５は、重なり合わない。本明細書の他のところで説明したように、いくつかの実施形態では、物品７００は、第１のライトガイド７０２の側面７１８に注入された光が主に第１の領域７８３から実質的に均一に抽出され、第３のライトガイド７０５の側面７２９に注入された光が主に第２の領域７８５から実質的に均一に抽出されるようになっている。
【００３６】
第１の光結合構成要素７０６は、第１のライトガイド７０２と第２のライトガイド７０４との間の光結合を防止するようになっている、第１の光結合構成要素７０６の長さに沿った複数の位置７３３を規定する。第２の光結合構成要素７０７は、第２のライトガイド７０４と第３のライトガイド７０５との間の光結合を防止するようになっている、第２の光結合構成要素７０７の長さに沿った複数の位置７３５を規定する。いくつかの実施形態では、位置７３３は、光結合構成要素７０６の長さの約半分未満（又は約１／３未満、又は約１／４未満）にわたって延び、位置７３５は、光結合構成要素７０７の長さの約半分未満（又は約１／３未満、又は約１／４未満）にわたって延びる。
【００３７】
第２のライトガイド７０４は、互いに向かい合う第１及び第２の端部７１２及び７１３を含み、本明細書の他のところで説明した光抽出器のいずれかに対応することができる光抽出器７０８を含む。光抽出器７０８は、第２のライトガイド７０４の側面７１６を介してライトガイド物品７００から光を抽出するようになっている。第１のライトガイド７０２は、互いに向かい合う第１及び第２の端部７１８及び７１９を含み、１つ以上の平面７３７を含む側面を含む。第３のライトガイド７０５は、互いに向かい合う第１及び第２の端部７２８及び７２９を含み、１つ以上の平面７３９を含む側面を含む。第１及び第３のライトガイド７０２及び７０５のうちの１つ又は両方は、表面７３７及び７３９のうちの１つ以上を介してライトガイド物品７００から光を抽出するようになっている光抽出器を含むことができる。いくつかの実施形態では、そのような光抽出器は、表面７３７及び７３９のうちの１つ以上にて１つ以上の表示を点灯させるようになっている。
【００３８】
１つ以上の光源を、端部７１２、７１３、７１８、７１９、７２８、及び７２９のうちの１つ以上に近接配置することができる。いくつかの実施形態では、光源は、第２のライトガイド７０４の第１及び第２の端部７１８及び７１９のうちの１つ又は両方に近接配置され、光源は、第３のライトガイドの第１及び第２の端部７２８及び７２９のうちの１つ又は両方に近接配置される。第２のライトガイド７０４は、実質的に第１及び第３のライトガイド７０２及び７０５からのみ光を受光することができ、第２のライトガイド７０４の第１及び第２の端部７１２及び７１３に近接配置されたいずれの光源からも受光できない。
【００３９】
図８Ａは、第１、第２、及び第３のライトガイド８０２、８０４、及び８０５を含み、第１のライトガイド８０２と第２のライトガイド８０４との間に配置されそれらに取り付けられた光結合構成要素８０６ａを含む、本明細書の他のところで説明したライトガイド物品のいずれかに対応することができる、ライトガイド物品８００Ａの断面図である。図８Ａの断面図では見えない第２の光結合構成要素が、第２のライトガイド８０４と第３のライトガイド８０５との間に配置されそれらに取り付けられる。第１、第２、及び第３のライトガイド８０２、８０４、及び８０５は、同じ若しくは異なる断面形状、及び／又は同じ若しくは異なる断面積を有することができる。第１、第２、及び第３のライトガイド８０２、８０４、及び８０５のうちの少なくとも１つは、実質的に円形、又は実質的に矩形（例えば、正方形）の断面を有することができる。光結合構成要素８０６ａは、第１のライトガイド８０２と第２のライトガイド８０４との間で、対称に又は非対称に光を結合するようになっていてもよい。図示した実施形態では、光結合構成要素８０６ａは、幅方向（ｘ方向）で変化しない（厚さが一定又は実質的に一定である）厚さ（ｙ寸法）を有し、第１のライトガイド８０２と第２のライトガイド８０４との間で光を対称に結合して、第１のライトガイド８０２と第２のライトガイド８０４との間に対称に配置されている。光結合構成要素８０６ａは、長さ方向（ｚ方向）で連続的（例えば、図１の光結合構成要素１０６に対応する）又は不連続的（例えば、図３の光構成要素３０６に対応する）とすることができる。光結合構成要素８０６ａは、第１のライトガイド８０２と第２のライトガイド８０４との間の光結合を防止するようになっている、１つ以上の位置（例えば、図７の位置７３３に対応する）を規定することができる。第１、第２、及び第３のライトガイド８０２、８０４、及び８０５のうちの１つ以上は、本明細書の他のところで説明したような、ライトガイドの側面を介して光を抽出するように構成されている光抽出器を含むことができる。
【００４０】
いくつかの実施形態では、本明細書の光結合構成要素は、色選択性フィルタを含むことができる。そのようなフィルタは、光出力の色を調整して、例えば、照明光出力及び表示からの光出力について異なる色を提供するために、含めることができる。フィルタは、同じ又は異なる色の光源と共に使用することができる。例えば、光結合構成要素のうちの１つ又は両方は、色選択性染料を含有することができる。これは、第１及び第２のライトガイド８０２及び８０４を形成するように共押出しされた光学的に透明なポリマー、及び光結合構成要素８０６ａを形成するように共押出しされた染色ポリマーで、第１及び第２のライトガイド８０２及び８０４並びに光結合構成要素８０６ａを共押出しすることにより、形成することができる。いくつかの実施形態では、色選択性フィルタは、ポリマー多層光学フィルムとすることができる、又はそれを含むことができる。好適なポリマー多層光学フィルムとしては、強め合う干渉により特定の波長の光を反射するための適切な厚さを有する高屈折率及び低屈折率の交互層を有するポリマー多層光学フィルムが挙げられる。そのようなポリマー多層光学フィルムは、例えば、米国特許第３，６１０，７２９号（Ｒｏｇｅｒｓ）、同第４，４４６，３０５号（Ｒｏｇｅｒｓら）、同第４，５４０，６２３号（Ｉｍら）、同第５，４４８，４０４号（Ｓｃｈｒｅｎｋら）、及び同第５，８８２，７７４号（Ｊｏｎｚａら）に概ね記載されている。ポリマー多層光学フィルムは、例えば、多層光学フィルムと２つのライトガイドのそれぞれとの間に光学的に透明な接着剤を使用して２つのライトガイドの間に多層光学フィルムのストリップを取り付けることにより、２つのライトガイドの間に配置された光結合構成要素に含めることができる。
【００４１】
図８Ｂは、光結合構成要素８０６ａが、本明細書の他のところで説明した色選択性フィルタのいずれかであり得る色選択性フィルタ８９５を含む光結合構成要素８０６ｂと置き換えられていること以外は、ライトガイド物品８００Ａに対応する、ライトガイド物品８００Ｂの断面図である。例えば、色選択性フィルタ８９５は、染色ポリマー又はポリマー多層光学フィルムとすることができる。
【００４２】
本明細書のライトガイドアセンブリ又は物品の第１、第２、及び第３のライトガイドは、平面上に配置することができる、又は非平面の配置を有することができる。例えば、物品を通る断面内で、第１、第２、及び第３のライトガイドの中心は、三角形配置を有することができる（例えば、中心は、二等辺三角形又は正三角形の頂点上にあることができる）。図８Ｃは、第３のライトガイド８０５が、第１のライトガイド８０２から第２のライトガイド８０４を直接越えていないこと以外は、ライトガイド物品８００Ａに対応する、ライトガイド物品８００Ｃの断面図である。図示した実施形態では、第１、第２、及び第３のライトガイド８０２、８０４、及び８０５の中心は、直角二等辺三角形の頂点上に配置される。
【００４３】
図９は、第１、第２、及び第３のライトガイド９０２、９０４、及び９０５を含み、第１のライトガイド９０２と第２のライトガイド９０４との間に配置されそれらに取り付けられた光結合構成要素９０６を含む、ライトガイド物品９００の断面図である。図９の断面図で見えない第２の光結合構成要素が、第２のライトガイド９０４と第３のライトガイド９０５との間に配置されそれらに取り付けられている。第１、第２、及び第３のライトガイド９０２、９０４、及び９０５は、同じ若しくは異なる断面形状、並びに／又は同じ若しくは異なる断面積を有することができる。光結合構成要素９０６は、第１のライトガイド９０２と第２のライトガイド９０４との間で、非対称に光を結合するようになっている。光結合構成要素９０６は、幅方向（ｘ方向）で異なる高さ（ｙ寸法）を有する。代わりに又は加えて、光結合構成要素９０６は、幅（ｘ）方向に変化する長さ（ｚ方向の）を有する複数の領域（例えば、図３の領域３０６ａに対応する）を有することができる。光結合構成要素９０６は、長さ方向（ｚ方向）で連続的（例えば、図１の光結合構成要素１０６に対応する）又は不連続的（例えば、図３の光構成要素３０６に対応する）とすることができる。光結合構成要素９０６は、第１のライトガイド９０２と第２のライトガイド９０４との間の光結合を防止するようになっている、１つ以上の位置（例えば、図７の位置７３３に対応する）を含むことができる。第１、第２、及び第３のライトガイド９０２、９０４、及び９０５のうちの１つ以上は、本明細書の他のところで説明したような、ライトガイドの側面を介して光を抽出するように構成されている光抽出器を含むことができる。
【００４４】
本明細書の光結合構成要素は、主に、ライトガイドのうちの１つの中を伝播する第１の光の第１の振幅及びライトガイドのうちの他方の中を伝播する第２の光の第２の振幅のうちの少なくとも１つに相関する、隣接するライトガイド間の光結合を実現することができる。光結合構成要素は、例えば、少なくとも１ｃｍ、又は少なくとも３ｃｍ、又は少なくとも１０ｃｍの長さを有することができる。光結合は、第１の光の第１の位相及び第２の光の第２の位相の両方に実質的に無関係とすることができる。しかし、光結合は、結合が主に振幅によって決定され得るとしても、ある程度、位相に依存し得る。いくつかの実施形態では、光結合は、第１の位相及び第２の位相のうちの少なくとも１つに相関する。
【００４５】
本明細書のライトガイドアセンブリのライトガイドは、任意の有用な断面を有することができる。いくつかの実施形態では、ライトガイドのうちの１つ以上は、平面及び曲面の両方を含む。図１０は、第１、第２、及び第３のライトガイド１００２、１００４、及び１００５を含み、第１のライトガイド１００２と第２のライトガイド１００４との間に配置されそれらに取り付けられた第１の光結合構成要素１００６と、第２のライトガイド１００４と第３のライトガイド１００５との間に配置されそれらに取り付けられた第２の光結合構成要素１００７とを含む、ライトガイドアセンブリ１０００の断面図である。第１及び第２の光結合構成要素１００６及び１００７は、最大で部分的に重なり合う。図１０の断面は、第１及び第２の光結合構成要素１００６及び１００７が重なり合う物品１０００の長さに沿った領域内にある。第１、第２、及び第３のライトガイド１００２、１００４、及び１００５は、米国特許第８，６８４，５７８号（Ｒｕｄｅｋら）及び同第８，４５９，８５４号（Ｒｕｄｅｋら）に概ね記載されているように製造することができる。第１の光結合構成要素１００６は、第１のライトガイド１００２と第２のライトガイド１００４との間で光を結合するようになっており、同様に、第２の光結合構成要素１００７は、第２のライトガイド１００４と第３のライトガイド１００５との間で光を結合するようになっている。第１のライトガイド１００２は、湾曲面１０５２、反対側にある平坦面１０５４、並びに、湾曲面１０５２と平坦面１０５４とを接続する第１及び第２の接続面１０５６及び１０５７を含む。第２のライトガイド１００４は、湾曲光出口面１０６２、図示した実施形態では平坦な光誘導面１０６４、並びに、湾曲面１０６２と光誘導面１０６４とを接続する第１及び第２の接続面１０６６及び１０６７を含む。第３のライトガイド１００５は、湾曲面１０８２、反対側にある平坦面１０８４、並びに、湾曲面１０８２と平坦面１０８４とを接続する第１及び第２の接続面１０８６及び１０８７を含む。本明細書の他のところで説明した光結合構成要素のいずれかに対応することができる第１の光結合構成要素１００６は、平坦面１０５４に取り付けられ、接続面１０６７に取り付けられる。本明細書の他のところで説明した光結合構成要素のいずれかに対応することができる第２の光結合構成要素１００７は、平坦面１０８４に取り付けられ、接続面１０６６に取り付けられる。第２のライトガイド１００４は、本明細書の他の所で説明した光抽出器のいずれかに対応することができる、第２のライトガイド１００４の湾曲光出口面１０６２を介してライトガイド物品１０００から光を抽出するように構成されている光抽出器１００８を含む。
【００４６】
本明細書のライトガイドアセンブリに関連するライトガイドアセンブリは、２０１５年８月７日に出願された米国特許仮出願第６２／２０２３７３号に記載されており、この出願は、本明細書と矛盾しない範囲で、参照により本明細書に組み込まれる。
【００４７】
本明細書のライトガイドアセンブリは、例えば、光学的に透明なポリマー材料又はガラスから製造することができる。好適なポリマー材料としては、例えば、ポリメチルメタクリレート（polymethyl methacrylate）（ＰＭＭＡ）、ポリカーボネート、及びポリウレタンなどのアクリレートが挙げられる。光抽出特徴を有するライトガイド又はライトガイドアセンブリは、例えば、射出成型により製造することができる。あるいは、ライトガイド又はライトガイドアセンブリは、最初に光抽出特徴を有さないライトガイド又はライトガイドアセンブを形成し、その後、後続の処理工程により光抽出特徴を生成することにより、製造することができる。ライトガイド又はライトガイドアセンブリは、例えば、押し出しにより、又は成形により、光抽出器無しに形成することができる。次に、光抽出器は、例えば、エッチング、レーザーアブレーション、又はエンボス加工により形成することができる。光結合構成要素は、最初に隣接するライトガイドの間の連続要素を押出成形し、一部を除去（例えば、レーザーアブレーション又はエッチングにより）又は他の方法で連続要素を変更して、光結合構成要素を形成することにより形成することができる。
【００４８】
ライトガイド物品の製造方法１１９０を、図１１に概略的に示す。工程１１９１で、第１、第２、及び第３のライトガイドを備えるモノリシック物品が、第１の要素を第１のライトガイドと第２のライトガイドとの間に配置されそれらに一体的に取り付けられて、かつ第２の要素を第２のライトガイドと第３のライトガイドとの間に配置されそれらに一体的に取り付けられて、押出成形される。工程１１９３で、第２のライトガイド上の光抽出器が形成される（例えば、レーザーアブレーションにより）。工程１１９６で、第１及び第２の要素の一部が除去され（例えば、レーザーアブレーションにより）、最大で部分的に重なり合う第１及び第２の光結合構成要素を形成する。工程１１９１が最初に実行され、その後に工程１１９３又は１１９６のうちのいずれか１つが続き、その後、１１９３及び１１９６の他方が続く。あるいは、工程１１９３及び１１９６を同時に又は重なり合う時に実行することができる。
【実施例】
【００４９】
７ｍｍの直径を有する湾曲部分を有する３つのキノコ型ロッドを使用して、図１０に示すようなライトガイド物品を構築した。ロッドは、ＰＭＭＡ（Ｅｖｏｎｉｋ  Ｐｅｒｆｏｒｍａｎｃｅ  Ｍａｔｅｒｉａｌｓ  ＧｎｂＨ（Ｅｓｓｅｎ，Ｇｅｒｍａｎｙ）から入手可能なＰＯＱ６６）の押し出しによって製造され、１．４９の屈折率（本明細書で使用されるとき、別様に明示されない限り、屈折率は、５８９ｎｍの波長（ナトリウムＤ線）で測定された屈折率を指す）を有した。光抽出器１００８は、三つ組間にて９ｍｍのピッチＰ及び三つ組内のノッチ間にて１．５ｍｍの間隔ｇを有する、図５に示すようなノッチの複数の三つ組を含んだ。ノッチは、２．６ｍｍの幅Ｗ、約１００度の夾角、及び約１２９マイクロメートルの深さを有した。ノッチは、レーザーアブレーションにより形成した。第１及び第２のライトガイド１００２及び１００４は、約１．４７〜１．４９の屈折率、約１０ミル（２５０マイクロメートル）の厚さ、及びライトガイドの長さの約半分に沿って延びる約１．５ｍｍの幅を有する第１の光学的に透明な接着剤を使用して一体に取り付けた。同様に、第２及び第３のライトガイド１００４及び１００５は、第１の光学的に透明な接着剤と同じ形状及び屈折率を有するが、ライトガイドの長さの他方の約半分に沿って延びる、第２の光学的に透明な接着剤を使用して一体に取り付けた。第１の光学的に透明な接着剤は第１の光結合構成要素１００６を形成し、第２の光学的に透明な接着剤は第２の光結合構成要素１００７を形成した。ライトガイド物品の長さＬＡは、約１．２ｍであった。
【００５０】
第１の発光ダイオード（ＬＥＤ）（ＯＳＲＡＭ  Ｏｐｔｏ  Ｓｅｍｉｃｏｎｄｕｃｔｏｒｓ  ＧｍｂＨ（Ｒｅｇｅｎｓｂｕｒｇ，Ｇｅｒｍａｎｙ）から入手可能なＯＳＲＡＭ  ＣＮ５Ｍ）を使用して第１のライトガイド１００２の１つの端部に光を注入し、第２のＬＥＤ（これもＯＳＲＡＭ  ＣＮ５Ｍ）を使用して第３のライトガイド１００５の反対側にある端部に光を注入した。第２のライトガイド１００４の湾曲光出口面１０６２を介した光出力の均一性は、点灯するＬＥＤのうちの１つ又は両方に対して測定され、図１２に示されている。図１２は、物品１０００の第１の端部（−６００ｍｍでの）から第２の端部（６００ｍｍでの）へのライトガイド物品１０００の長さに沿ったｍｍでの位置に相関する輝度を示す。輝度は、物品１０００から２．５メートルの距離に配置し物品１０００の長さの中心におおよそ位置合わせしたカメラ（Ｒａｄｉａｎｔ  Ｖｉｓｉｏｎ  Ｓｙｓｔｅｍｓ，ＬＬＣ（Ｒｅｄｍｏｎｄ，ＷＡ）から入手可能なＰＲＯＭＥＴＲＩＣ  ＰＭ  Ｓｅｒｉｅｓ  Ｉｍａｇｉｎｇ  Ｃｏｌｏｒｉｍｅｔｅｒ（型式：ＰＭ−１６１３Ｆ−１））を使用して測定した。カメラは、位置に相関する輝度を測定した。測定した輝度は、１００の最大値に正規化して、図１２にて物品の長さに沿った位置に対してグラフ化した。図１２で、輝度が、−６００ｍｍから−１００ｍｍまでの物品ガイドの一部分にわたって約２０パーセント以下（（１００−８０）／１００×１００パーセント）だけ変化し、かつ、右側のＬＥＤをオンにして左側のＬＥＤをオフにしたときに、２００ｍｍ〜６００ｍｍの物品の一部分にわたる輝度が最大輝度の１０パーセント未満であったことを見ることができる。
【００５１】
以下は、本明細書の例示的な実施形態の列挙である。
【００５２】
実施形態１は、第１、第２、及び第３のライトガイドと、第１のライトガイドと第２のライトガイドとの間に配置されそれらに取り付けられ、第１のライトガイドと第２のライトガイドとの間で光を結合するようになっている第１の光結合構成要素と、第２のライトガイドと第３のライトガイドとの間に配置されそれらに取り付けられ、第２のライトガイドと第３のライトガイドとの間で光を結合するようになっている第２の光結合構成要素と、を備える物品であって、
第１のライトガイド、第２のライトガイド、及び第１の光結合構成要素は、物品の長さの第１の部分に沿って延びる物品の第１の領域にわたって同一の広がりを有し、第１の部分は、物品の長さの約２０パーセント〜８０パーセントの長さを有し、
第２のライトガイド、第３のライトガイド、及び第２の光結合構成要素は、物品の長さの第２の部分に沿って延びる物品の異なる第２の領域にわたって同一の広がりを有し、第２の部分は、物品の長さの約２０パーセント〜８０パーセントの長さを有し、長さの第２の部分は、長さの第１の部分と最大で部分的に同一の広がりを有し、
第２のライトガイドは、第２のライトガイドの側面を介して物品から光を抽出するように構成されている光抽出器を含む。
【００５３】
実施形態２は、長さの第１及び第２の部分で重なり合いが実質的に存在しない、実施形態１の物品である。
【００５４】
実施形態３は、長さの第１及び第２の部分は、物品の重なり合う領域内で同一の広がりを有する、実施形態１の物品である。
【００５５】
実施形態４は、重なり合う領域の長さは、第１の部分の長さの半分未満である、実施形態３の物品である。
【００５６】
実施形態５は、第１、第２、及び第３のライトガイドはそれぞれ、物品の第１の端部に隣接して配置された第１の端部、及び物品の反対側にある第２の端部に隣接して配置された第２の端部を有し、物品は、第１のライトガイドの第１の端部に光を注入するように配置された第１の光源と、第３のライトガイドの第２の端部に光を注入するように配置された第２の光源と、を含む、実施形態１の物品である。
【００５７】
実施形態６は、第１の光源からの光は、主に第２のライトガイドの第２の端部に隣接する第２のライトガイドの第１の部分から実質的に均一に抽出される、実施形態５の物品である。
【００５８】
実施形態７は、第２の光源からの光は、主に第２のライトガイドの第１の部分と第２のライトガイドの第１の端部との間に配置された第２のライトガイドの第２の部分から実質的に均一に抽出される、実施形態６の物品である。
【００５９】
実施形態８は、第２のライトガイドの第１及び第２の部分のそれぞれが、第２のライトガイドの長さの少なくとも３０パーセントの長さを有する、実施形態７の物品である。
【００６０】
実施形態９は、第２のライトガイドの第１の部分が第１の光結合構成要素と実質的に同一の広がりを有し、第２のライトガイドの第２の部分が第２の光結合構成要素と実質的に同一の広がりを有する、実施形態７の物品である。
【００６１】
実施形態１０は、第２のライトガイドから抽出された第１の光源からの光が合計発光エネルギを有し、合計発光エネルギの４０パーセント以下が第２のライトガイドの第２の部分から抽出されている、実施形態７の物品である。
【００６２】
実施形態１１は、第２のライトガイドから抽出された第１の光源からの光が合計発光エネルギを有し、合計発光エネルギの３０パーセント以下が第２のライトガイドの第２の部分から抽出されている、実施形態７の物品である。
【００６３】
実施形態１２は、第２のライトガイドから抽出された第１の光源からの光が合計発光エネルギを有し、合計発光エネルギの２０パーセント以下が第２のライトガイドの第２の部分から抽出されている、実施形態７の物品である。
【００６４】
実施形態１３は、第２のライトガイドから抽出された第１の光源からの光が合計発光エネルギを有し、合計発光エネルギの１０パーセント以下が第２のライトガイドの第２の部分から抽出されている、実施形態７の物品である。
【００６５】
実施形態１４は、第２のライトガイドの第１の部分から抽出された第１の光源からの光が、第２のライトガイドの第１の部分の長さに沿って４０パーセント未満で変動する輝度を有する、実施形態６の物品である。
【００６６】
実施形態１５は、第２のライトガイドの第１の部分から抽出された第１の光源からの光が、第２のライトガイドの第１の部分の長さに沿って３０パーセント未満で変動する輝度を有する、実施形態６の物品である。
【００６７】
実施形態１６は、第２のライトガイドの第１の部分から抽出された第１の光源からの光が、第２のライトガイドの第１の部分の長さに沿って２０パーセント未満で変動する輝度を有する、実施形態６の物品である。
【００６８】
実施形態１７は、第２のライトガイドの第１の部分から抽出された第１の光源からの光が、第２のライトガイドの第１の部分の長さに沿って１０パーセント未満で変動する輝度を有する、実施形態６の物品である。
【００６９】
実施形態１８は、第１の光源からの光が第１の色を有し、第２の光源からの光が異なる第２の色を有する、実施形態５の物品である。
【００７０】
実施形態１９は、物品の長さの第１及び第２の部分が、物品の重なり合う領域内で同一の広がりを有する、実施形態１８の物品である。
【００７１】
実施形態２０は、物品が、重なり合う領域から、第１及び第２の色とは異なる第３の色を抽出するように構成されている、実施形態１９の物品である。
【００７２】
実施形態２１は、物品が、第１及び第２の光源を独立して制御することができるように構成されている、実施形態５の物品である。
【００７３】
実施形態２２は、物品が、第１及び第２の光源を独立して制御するようになっているコントローラを備える、実施形態５の物品である。
【００７４】
実施形態２３は、コントローラが異なる複数のモードを含み、物品から抽出された光が異なるモードにおいて異なる、実施形態２２の物品である。
【００７５】
実施形態２４は、モードのうちの少なくとも１つにおいて、コントローラが、第１及び第２の光源を交互にオン及びオフにするようになっている、実施形態２３の物品である。
【００７６】
実施形態２５は、モノリシックである、実施形態１の物品である。
【００７７】
実施形態２６は、光抽出器が、第１及び第２の領域のそれぞれの中に少なくとも部分的に配置されている、実施形態１の物品である。
【００７８】
実施形態２７は、第１の光結合構成要素が、主に第１のライトガイド内を伝播する第１の光の第１の振幅及び第２のライトガイド内を伝播する第２の光の第２の振幅のうちの少なくとも１つに相関する第１の光結合を実現するようになっている、実施形態１の物品である。
【００７９】
実施形態２８は、第２の光結合構成要素が、主に第２の振幅及び第３のライトガイド内を伝播する第３の光の第３の振幅のうちの少なくとも１つに相関する第２の光結合を実現するようになっている、実施形態２７の物品である。
【００８０】
実施形態２９は、第１の光結合構成要素が、光結合を防止するようになっている、第１の光結合構成要素の長さに沿った少なくとも１つの位置を有する、実施形態１の物品である。
【００８１】
実施形態３０は、第２の光結合構成要素が、光結合を防止するようになっている、第２の光結合構成要素の長さに沿った少なくとも１つの位置を有する、実施形態２９の物品である。
【００８２】
実施形態３１は、第１の光結合構成要素が少なくとも１ｃｍの長さを有する、実施形態１の物品である。
【００８３】
実施形態３２は、第２の光結合構成要素が少なくとも１ｃｍの長さを有する、実施形態３１の物品である。
【００８４】
実施形態３３は、第１及び第２の光結合構成要素がそれぞれ、少なくとも１０ｃｍの長さを有する、実施形態１の物品である。
【００８５】
実施形態３４は、第１、第２、及び第３のライトガイドのうちの少なくとも１つが、湾曲面及び反対側にある平坦面を有する、実施形態１の物品である。
【００８６】
実施形態３５は、第２のライトガイドが、湾曲光出口面及び反対側にある光方向転換平坦面を有する、実施形態１の物品である。
【００８７】
実施形態３６は、第１、第２、及び第３のライトガイドのうちの少なくとも１つが、実質的に円形の断面を有する、実施形態１の物品である。
【００８８】
実施形態３７は、第１、第２、及び第３のライトガイドのうちの少なくとも１つが、実質的に矩形の断面を有する、実施形態１の物品である。
【００８９】
実施形態３８は、物品を射出成型することを含む、実施形態１の物品の製造方法である。
【００９０】
実施形態３９は、
第１、第２、及び第３のライトガイドを備えるモノリシックアセンブリを押出成形することと、
第２のライトガイド内に光抽出器を形成することと、を含む、実施形態１の物品の製造方法である。
【００９１】
実施形態４０は、形成することが、複数の別個の離間するノッチを第２のライトガイドの表面にレーザーアブレーションすることを含む、実施形態３９の方法である。
【００９２】
実施形態４１は、押出成形することが、第１のライトガイドと第２のライトガイドとの間に配置されそれらに取り付けられた第１の要素、及び第２のライトガイドと第３のライトガイドとの間に配置されそれらに取り付けられた第２の要素を押出成形することを含む、実施形態３９の方法である。
【００９３】
実施形態４２は、第１の要素の一部分を除去して第１の光結合構成要素を形成することと、第２の要素の一部分を除去して第２の光結合構成要素を形成することと、を更に含む、実施形態４１の方法である。
【００９４】
実施形態４３は、第１の要素をレーザーアブレーションして第１の光結合構成要素を形成することと、第２の要素をレーザーアブレーションして第２の光結合構成要素を形成することと、を更に含む、実施形態４１の方法である。
【００９５】
実施形態４４は、
光学システムの第１の端部に隣接して配置された第１の端部、及び光学システムの反対側に位置する第２の端部に隣接して配置された第２の端部をそれぞれ有する、第１、第２、及び第３のライトガイドであって、第２のライトガイドが第２のライトガイドの側面を介して光学システムから光を抽出するように構成されている光抽出器を含む、第１、第２、及び第３のライトガイドと、
第１のライトガイドと第２のライトガイドとの間に配置されそれらに取り付けられ、第１のライトガイドと第２のライトガイドとの間で光を結合するようになっている第１の光結合構成要素と、
第２のライトガイドと第３のライトガイドとの間に配置されそれらに取り付けられ、第２のライトガイドと第３のライトガイドとの間で光を結合するようになっている第２の光結合構成要素と、
第１のライトガイドの第１の端部に光を注入するように配置されている第１の光源と、
第３のライトガイドの第２の端部に光を注入するように配置されている第２の光源と、を備える、光学システムであって、
光学システムは、第１の光源からの光が主に第２のライトガイドの第２の端部に隣接する第２のライトガイドの第１の部分から実質的に均一に抽出され、かつ第２の光源からの光が主に第２のライトガイドの第１の部分と第２のライトガイドの第１の端部との間に配置されて第２のライトガイドの第１の部分に最大で部分的に重なり合う第２のライトガイドの第２の部分から実質的に均一に抽出されるように構成され、
第２のライトガイドの第１及び第２の部分のそれぞれは、第２のライトガイドの長さの少なくとも２０パーセントの長さを有する。
【００９６】
実施形態４５は、第２のライトガイドの第１の部分が、第１の光結合構成要素と実質的に同一の広がりを有する、実施形態４４の光学システムである。
【００９７】
実施形態４６は、第２のライトガイドの第２の部分が、第２の光結合構成要素と実質的に同一の広がりを有する、実施形態４４の光学システムである。
【００９８】
実施形態４７は、第２のライトガイドの第１及び第２の部分が重なり合わない、実施形態４４の光学システムである。
【００９９】
実施形態４８は、長さの第１及び第２の部分が、光学システムの重なり合う領域内で同一の広がりを有する、実施形態４４の光学システムである。
【０１００】
実施形態４９は、重なり合う領域の長さが、第１の部分の長さの半分未満である、実施形態４８の光学システムである。
【０１０１】
実施形態５０は、重なり合う領域の長さが、第１の部分の長さの３０パーセント未満である、実施形態４８の光学システムである。
【０１０２】
実施形態５１は、重なり合う領域の長さが、第１の部分の長さの１０パーセント未満である、実施形態４８の光学システムである。
【０１０３】
実施形態５２は、第２のライトガイドの第１及び第２の部分のそれぞれが、第２のライトガイドの長さの約３０パーセント〜約７０パーセントの長さを有する、実施形態４４の光学システムである。
【０１０４】
実施形態５３は、第２のライトガイドの第１及び第２の部分のそれぞれが、第２のライトガイドの長さの約４０パーセント〜約６０パーセントの長さを有する、実施形態４４の光学システムである。
【０１０５】
実施形態５４は、第２のライトガイドの第１の部分から抽出された第１の光源からの光が、第２のライトガイドの第１の部分の長さに沿って４０パーセント未満で変動する輝度を有する、実施形態４４の光学システムである。
【０１０６】
実施形態５５は、第２のライトガイドの第１の部分から抽出された第１の光源からの光が、第２のライトガイドの第１の部分の長さに沿って３０パーセント未満で変動する輝度を有する、実施形態４４の光学システムである。
【０１０７】
実施形態５６は、第２のライトガイドの第１の部分から抽出された第１の光源からの光が、第２のライトガイドの第１の部分の長さに沿って２０パーセント未満で変動する輝度を有する、実施形態４４の光学システムである。
【０１０８】
実施形態５７は、第２のライトガイドの第１の部分から抽出された第１の光源からの光が、第２のライトガイドの第１の部分の長さに沿って１０パーセント未満で変動する輝度を有する、実施形態４４の光学システムである。
【０１０９】
実施形態５８は、モノリシックライトガイド物品が、第１、第２、及び第３のライトガイド、並びに第１及び第２の光結合構成要素を備える、実施形態４４の光学システムである。
【０１１０】
実施形態５９は、光抽出器が、第１及び第２の領域のそれぞれの中に少なくとも部分的に配置されている、実施形態４４の光学システムである。
【０１１１】
実施形態６０は、第１の光結合構成要素が、主に第１のライトガイド内を伝播する第１の光の第１の振幅及び第２のライトガイド内を伝播する第２の光の第２の振幅のうちの少なくとも１つに相関する第１の光結合を実現するようになっている、実施形態４４の光学システムである。
【０１１２】
実施形態６１は、第２の光結合構成要素が、主に第２の振幅及び第３のライトガイド内を伝播する第３の光の第３の振幅のうちの少なくとも１つに相関する第２の光結合を実現するようになっている、実施形態６０の光学システムである。
【０１１３】
実施形態６２は、第１の光結合構成要素が、光結合を防止するようになっている、第１の光結合構成要素の長さに沿った少なくとも１つの位置を有する、実施形態４４の光学システムである。
【０１１４】
実施形態６３は、第２の光結合構成要素が、光結合を防止するようになっている、第２の光結合構成要素の長さに沿った少なくとも１つの位置を有する、実施形態６２の光学システムである。
【０１１５】
実施形態６４は、第１の光結合構成要素が少なくとも１ｃｍの長さを有する、実施形態４４の光学システムである。
【０１１６】
実施形態６５は、第２の光結合構成要素が少なくとも１ｃｍの長さを有する、実施形態４４の光学システムである。
【０１１７】
実施形態６６は、第１及び第２の光結合構成要素のそれぞれが、少なくとも１０ｃｍの長さを有する、実施形態４４の光学システムである。
【０１１８】
実施形態６７は、反対側にある第１の端面と第２の端面との間に光パイプの長さに沿って延び、重なり合わない第１及び第２の部分であって、それぞれの部分がモノリシック光パイプの長さの少なくとも２０パーセントの長さを有する第１及び第２の部分を備える、モノリシック光パイプであって、光パイプは、第１の端面と第２の端面との間に配置され、光を光パイプに結合するように構成されている第１の光結合構成要素を備え、光パイプは、第１の端面と第２の端面との間に、光を光パイプに結合するように構成されている異なる第２の光結合構成要素を有し、光パイプは、第１の光結合構成要素を介して光パイプに結合された光が主に光パイプの第１の部分から実質的に均一に抽出され、かつ第２の光結合構成要素を介して光パイプに結合された光が主に光パイプの第２の部分から実質的に均一に抽出されるように構成されている。
【０１１９】
実施形態６８は、第１の光結合構成要素が、第１のライトガイドからモノリシック光パイプに光を結合するように構成されている、実施形態６７のモノリシック光パイプである。
【０１２０】
実施形態６９は、第２の光結合構成要素が、第２のライトガイドからモノリシック光パイプに光を結合するように構成されている、実施形態６８のモノリシック光パイプである。
【０１２１】
実施形態７０は、第１の光結合構成要素が、少なくとも光パイプの第１の部分に沿って延びる、実施形態６７のモノリシック光パイプである。
【０１２２】
実施形態７１は、第２の光結合構成要素が、少なくとも光パイプの第２の部分に沿って延びる、実施形態７０のモノリシック光パイプである。
【０１２３】
実施形態７２は、第１及び第２の部分のそれぞれが、モノリシック光パイプの長さの約３０パーセント〜約７０パーセントの長さを有する、実施形態６７のモノリシック光パイプである。
【０１２４】
実施形態７３は、第１及び第２の部分のそれぞれが、モノリシック光パイプの長さの約４０パーセント〜約６０パーセントの長さを有する、実施形態６７のモノリシック光パイプである。
【０１２５】
実施形態７４は、光パイプの側面を介して光パイプから光を抽出するように構成されている光抽出器を更に備える、実施形態６７のモノリシック光パイプである。
【０１２６】
実施形態７５は、光抽出器が、第１及び第２の領域のそれぞれの中に少なくとも部分的に配置されている、実施形態７４のモノリシック光パイプである。
【０１２７】
実施形態７６は、
実施形態６７のモノリシック光パイプと、
第１のライトガイドであって、第１の光結合構成要素が第１のライトガイドと光パイプとの間に配置され、第１のライトガイドと光パイプとの間で光を結合するようになっている、第１のライトガイドと、
第２のライトガイドであって、第２の光結合構成要素が第２のライトガイドと光パイプとの間に配置され、第２のライトガイドと光パイプとの間で光を結合するようになっている、第２のライトガイドと、を備える、物品である。
【０１２８】
実施形態７７は、モノリシックである、実施形態７６の物品である。
【０１２９】
実施形態７８は、実施形態７６の物品と、第１のライトガイドの端面に光を注入するように構成された第１の光源と、第２のライトガイドの端面に光を注入するように構成された第２の光源と、を備える光学システムである。
【０１３０】
実施形態７９は、第１及び第２の光源が、物品の反対側に位置する端部に配置された、実施形態７８の光学システムである。
【０１３１】
図中の要素の説明は、別途指示がない限り、他の図中の対応する要素に等しく適用されるものと理解されたい。具体的な実施形態を本明細書において例示し記述したが、様々な代替及び／又は等価な実施により、図示及び記載した具体的な実施形態を、本開示の範囲を逸脱することなく置き換え可能であることが、当業者により理解されるであろう。本出願は、本明細書において論じた具体的な実施形態のいかなる適合例又は変形例であっても包含することを意図する。したがって、本開示は、特許請求の範囲及びその等価物によってのみ限定されるものとする。
【図１】
2019502235.tif 000003
【図２】
2019502235.tif 000004
【図３】
2019502235.tif 000005
【図４】
2019502235.tif 000006
【図５】
2019502235.tif 000007
【図６】
2019502235.tif 000008
【図７】
2019502235.tif 000009
【図８Ａ】
2019502235.tif 000010
【図８Ｂ】
2019502235.tif 000011
【図８Ｃ】
2019502235.tif 000012
【図９】
2019502235.tif 000013
【図１０】
2019502235.tif 000014
【図１１】
2019502235.tif 000015
【図１２】
2019502235.tif 000016
【国際調査報告】
2019502235.tif 000017
2019502235.tif 000018
2019502235.tif 000019